(57)【要約】【課題】胴回り部と吸収性コアが重ねられていない領域と、胴回り部と吸収性コアとが重ねられた領域との着用時における追従性の差によって着用者に与える違和感を軽減させる。【解決手段】非伸縮性シート（２１３）と伸縮性シート（２１５）は、複数の溶着部（２５）によって前後方向に溶着されており、伸長状態において、単位面積あたりの溶着部の面積の割合が所定の値である低面積率領域（Ｘ）と、単位面積あたりの溶着部の面積の割合が低面積率領域より大きい高面積率領域（Ｙ）を有し、一方の胴回り部のうち、低面積率領域（Ｘ）と吸収性コアとが重ならない領域を第１領域（Ｆ１）とし、低面積率領域と吸収性コア（１１）とが重なる領域を第２領域（Ｆ２）とし、高面積率領域（Ｙ）と吸収性コアとが重なる領域を第３領域（Ｆ３）とすると、左右方向の中央部において、第２領域（Ｆ２）が、上下方向における第１領域（Ｆ１）と第３領域（Ｆ３）の間に設けられている。【選択図】図８
2020192123.tif 000002
【特許請求の範囲】
【請求項１】
互いに交差する上下方向、左右方向、及び前後方向を有し、
一対の胴回り部と、
前記上下方向に沿って配置された吸収性コアを備え、前記上下方向の下端部にて前後方向に折り曲げられた吸収性本体と、
を有するパンツ型吸収性物品であって、
前記一対の胴回り部のうち少なくとも一方の胴回り部において、
非伸縮性シートと、前記左右方向に伸縮する伸縮性シートとを備え、
前記非伸縮性シートと前記伸縮性シートは、複数の溶着部によって前記前後方向に溶着されており、
伸長状態において、
単位面積あたりの前記溶着部の面積の割合が所定の値である低面積率領域と、単位面積あたりの前記溶着部の面積の割合が前記低面積率領域より大きい高面積率領域を有し、
前記一方の胴回り部のうち、
前記低面積率領域と前記吸収性コアとが重ならない領域を第１領域とし、
前記低面積率領域と前記吸収性コアとが重なる領域を第２領域とし、
前記高面積率領域と前記吸収性コアとが重なる領域を第３領域とすると、
前記左右方向の中央部において、
前記第２領域が、前記上下方向における前記第１領域と前記第３領域の間に設けられていることを特徴とするパンツ型吸収性物品。
【請求項２】
請求項１に記載のパンツ型吸収性物品であって、
前記吸収性コアは、前記第２領域に、周囲より平均坪量が低くなっている低坪量領域を有していることを特徴とするパンツ型吸収性物品。
【請求項３】
請求項２に記載のパンツ型吸収性物品であって、
前記吸収性コアは、前記第３領域にも、周囲より平均坪量が低くなっている低坪量領域を有していることを特徴とするパンツ型吸収性物品。
【請求項４】
請求項３に記載のパンツ型吸収性物品であって、
前記第３領域に設けられた低坪量領域は、前記左右方向に間隔を空けて複数設けられており、
前記左右方向において、前記第３領域の上端部に設けられた前記低坪量領域の数が、前記第３領域の下端部に設けられた前記低坪量領域の数より多いことを特徴とするパンツ型吸収性物品。
【請求項５】
請求項２から４のいずれか１項に記載のパンツ型吸収性物品であって、
前記低坪量領域は、前記上下方向に第１長さを有する上下低坪量領域と、前記左右方向に第２長さを有する左右低坪量領域とを有することを特徴とするパンツ型吸収性物品。
【請求項６】
請求項１から５のいずれか１項に記載のパンツ型吸収性物品であって、
前記第３領域と前記左右方向において重なる領域について、
前記高面積率領域と前記吸収性コアとが重ならない第４領域は、前記第３領域の前記左右方向の外側から前記第３領域に隣接し、
前記第１領域は、前記第４領域の前記左右方向の外側から前記第１領域に隣接することを特徴とするパンツ型吸収性物品。
【請求項７】
請求項１から６のいずれか１項に記載のパンツ型吸収性物品であって、
前記一対の胴回り部は、それぞれ前記溶着部、前記第１領域、前記第２領域、前記第３領域を有し、
前記左右方向の中央において、且つ、前記伸長状態において、
腹側胴回り部の前記第２領域の前記上下方向の長さより、背側胴回り部の前記第２領域の前記上下方向の長さが長いことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。例えば、特許文献１には、外装部３０、ウエスト弾性部材３３、吸収性コア２２備えた吸収性本体２０を有するパンツ型のおむつ１０が開示されている。吸収性本体２０（吸収性コア２２）は、腹側部Ａから背側部Ｂにわたるように、おむつ１０の長手方向に一致させて外装体３０に接合されている。
【先行技術文献】
【特許文献】
【０００３】
【特許文献１】特開２０１３−２５５５５８号公報
【発明の概要】
【発明が解決しようとする課題】
【０００４】
特許文献１のおむつ１０では、ウエスト弾性部材３３による幅方向に伸縮する力は、外装部３０と吸収性コア２２と重ね合わせて接合によって低下する。そのため、吸収性コア２２が重ねられた領域と重ねられていない領域には、剛性の差が生じており、吸収性コア２２が重ねられた領域と重ねられていない領域との外装部３０の弾性係数にも差があるために、着用時には、その吸収性コア２２の上端を境として身体の形状や身体の動きに対する追従性が異なってしまい、着用者に違和感を与えてしまう恐れがあった。
【０００５】
本発明は、上記のような問題に鑑みてなされたものであって、その目的とするところは、胴回り部と吸収性コアが重ねられていない領域と、胴回り部と、吸収性コアとが重ねられた領域との追従性の差によって着用者に与える違和感を軽減させるパンツ型吸収性物品を提供することにある。
【課題を解決するための手段】
【０００６】
上記目的を達成するための主たる発明は、互いに交差する上下方向、左右方向、及び前後方向を有し、一対の胴回り部と、前記上下方向に沿って配置された吸収性コアを備え、前記上下方向の下端部にて前後方向に折り曲げられた吸収性本体と、を有するパンツ型吸収性物品であって、前記一対の胴回り部のうち少なくとも一方の胴回り部において、非伸縮性シートと、前記左右方向に伸縮する伸縮性シートとを備え、前記非伸縮性シートと前記伸縮性シートは、複数の溶着部によって前記前後方向に溶着されており、伸長状態において、単位面積あたりの前記溶着部の面積の割合が所定の値である低面積率領域と、単位面積あたりの前記溶着部の面積の割合が前記低面積率領域より大きい高面積率領域を有し、前記一方の胴回り部のうち、前記低面積率領域と前記吸収性コアとが重ならない領域を第１領域とし、前記低面積率領域と前記吸収性コアとが重なる領域を第２領域とし、前記高面積率領域と前記吸収性コアとが重なる領域を第３領域とすると、前記左右方向の中央部において、前記第２領域が、前記上下方向における前記第１領域と前記第３領域の間に設けられていることを特徴とするパンツ型吸収性物品である。
本発明の他の特徴については、本明細書及び添付図面の記載により明らかにする。
【発明の効果】
【０００７】
本発明によれば、着用時における追従性の差が大きい第１領域と第３領域との間に設けられた第２領域が第１領域と第３領域との着用時における追従性の差を緩衝させやすくなり、第１領域と第３領域との着用時における追従性の差によって着用者に違和感を与えてしまう恐れを軽減させることができる。
【図面の簡単な説明】
【０００８】
【図１】パンツ型使い捨ておむつ１の斜視図である。
【図２】展開且つ伸長状態のおむつ１を肌側から見た概略平面図である。
【図３】図２のＩ−Ｉ線での概略断面図である。
【図４】図４Ａは、展開且つ伸長状態の吸収性本体１０を肌側から見た概略平面図である。図４Ｂは、図４ＡのＡ−Ａ断面図である。
【図５】展開且つ伸長状態のおむつ１の概略平面図であり、各種伸縮領域と、吸収性コア１１との位置関係を説明する図である。
【図６】吸収性コア１１を肌側から見た平面図である。
【図７】おむつ１着用時における吸収性コア１１の変形について説明する概略斜視図である。
【図８】展開且つ伸長状態のおむつ１の追従性の大きさが異なる領域を説明する図である。
【図９】展開且つ伸長状態のおむつ１の各溶着領域を説明する図である。
【発明を実施するための形態】
【０００９】
本明細書及び添付図面の記載により、少なくとも以下の事項が明らかとなる。
互いに交差する上下方向、左右方向、及び前後方向を有し、一対の胴回り部と、前記上下方向に沿って配置された吸収性コアを備え、前記上下方向の下端部にて前後方向に折り曲げられた吸収性本体と、を有するパンツ型吸収性物品であって、前記一対の胴回り部のうち少なくとも一方の胴回り部において、非伸縮性シートと、前記左右方向に伸縮する伸縮性シートとを備え、前記非伸縮性シートと前記伸縮性シートは、複数の溶着部によって前記前後方向に溶着されており、伸長状態において、単位面積あたりの前記溶着部の面積の割合が所定の値である低面積率領域と、単位面積あたりの前記溶着部の面積の割合が前記低面積率領域より大きい高面積率領域を有し、前記一方の胴回り部のうち、前記低面積率領域と前記吸収性コアとが重ならない領域を第１領域とし、前記低面積率領域と前記吸収性コアとが重なる領域を第２領域とし、前記高面積率領域と前記吸収性コアとが重なる領域を第３領域とすると、前記左右方向の中央部において、前記第２領域が、前記上下方向における前記第１領域と前記第３領域の間に設けられていることを特徴とするパンツ型吸収性物品ことを特徴とするパンツ型吸収性物品である。
【００１０】
このようなパンツ型吸収性物品によれば、着用時における追従性の差が大きい第１領域と第３領域との間に設けられた第２領域が第１領域と第３領域との着用時における追従性の差を緩衝させやすくなり、第１領域と第３領域との着用時における追従性の差によって着用者に違和感を与えてしまう恐れを軽減させることができる。
【００１１】
かかるパンツ型吸収性物品であって、前記吸収性コアは、前記第２領域に、周囲より平均坪量が低くなっている低坪量領域を有していることが望ましい。
【００１２】
このようなパンツ型吸収性物品によれば、第２領域に設けられた低坪量領域によって、第２領域の剛性を低下させることができるため、第２領域の着用時における追従性を第３領域より大きくすることができ、第１領域と第３領域との着用時における追従性の差を緩衝させやすくすることができる。
【００１３】
かかるパンツ型吸収性物品であって、前記吸収性コアは、前記第３領域にも、周囲より平均坪量が低くなっている低坪量領域を有していることが望ましい。
【００１４】
このようなパンツ型吸収性物品によれば、第２領域及び第３領域に設けられた低坪量領域によって、吸収性コアの一方の胴回り部側の剛性を全体的に低下させることができるため、第１領域と第３領域との間の着用時における追従性の差をより小さくすることができる。
【００１５】
かかるパンツ型吸収性物品であって、前記第３領域に設けられた低坪量領域は、前記左右方向に間隔を空けて複数設けられており、前記左右方向において、前記第３領域の上端部に設けられた前記低坪量領域の数が、前記第３領域の下端部に設けられた前記低坪量領域の数より多いことが望ましい。
【００１６】
このようなパンツ型吸収性物品によれば、第３領域内のうち、第２領域に近い上端部の剛性を下端部の剛性より低くすることで、第２領域から第３領域の下端部に向かって段階的に追従性を小さくさせやすくなり、着用時における追従性の差によって与えてしまう着用者への違和感を軽減させやすくなる。
【００１７】
かかるパンツ型吸収性物品であって、前記低坪量領域は、前記上下方向に第１長さを有する上下低坪量領域と、前記左右方向に第２長さを有する左右低坪量領域とを有することが望ましい。
【００１８】
このようなパンツ型吸収性物品によれば、上下低坪量領域及び左右低坪量領域が折れ曲がり起点となりやすくなって吸収性コアが上下方向及び左右方向に変形しやすくなり、着用者の身体や動きに応じた形状になりやすくなる。
【００１９】
かかるパンツ型吸収性物品であって、前記第３領域と前記左右方向において重なる領域について、前記高面積率領域と前記吸収性コアとが重ならない第４領域は、前記第３領域の前記左右方向の外側から前記第３領域に隣接し、前記第１領域は、前記第４領域の前記左右方向の外側から前記第１領域に隣接することが望ましい。
【００２０】
このようなパンツ型吸収性物品によれば、第３領域と前記左右方向において重なる領域について、第４領域が第１領域と第３領域との間の着用時における追従性の差を緩衝させやすくなり、第１領域と第３領域との着用時における追従性の差によって生じる左右方向の応力の差で着用者に違和感を与えてしまう恐れを軽減させることができる。
【００２１】
かかるパンツ型吸収性物品であって、前記一対の胴回り部は、それぞれ前記溶着部、前記第１領域、前記第２領域、前記第３領域を有し、前記左右方向の中央において、且つ、前記伸長状態において、腹側胴回り部の前記第２領域の前記上下方向の長さより、背側胴回り部の前記第２領域の前記上下方向の長さが長いことが望ましい。
【００２２】
このようなパンツ型吸収性物品によれば、背側は、臀部及び腰部の凹凸に第１領域と第３領域の着用時における追従性の差によって生じる応力が集中しやすいため、第１領域と第３領域との着用時における追従性の差を緩衝する第２領域を広く設けることで、第１領域と第３領域との周主力の差によって生じる応力を軽減させることができる。
【００２３】
＝＝＝実施形態＝＝＝
以下、本発明の「パンツ型吸収性物品」として、大人用のパンツ型使い捨ておむつ１（以下、「おむつ１」とも呼ぶ）を例に挙げて実施形態を説明する。但し、本発明のパンツ型吸収性物品は、例えば、子供用の使い捨ておむつや、生理用品（ショーツ型ナプキン）等としても利用可能である。
【００２４】
＜＜おむつ１の全体構成＞＞
図１は、おむつ１の概略斜視図である。図２は、展開且つ伸長状態のおむつ１を肌側から見た概略平面図である。図３は、図２のＩ−Ｉ線での概略断面図である。図４Ａは、展開且つ伸長状態の吸収性本体１０を肌側から見た概略平面図である。図２等におけるＣ−Ｃは、左右方向中心を示している。図４Ｂは、図４ＡのＡ−Ａ断面図である。なお、図４Ｂでは、説明の簡略化のため、吸収性コア１１に設けられる低坪量領域３０（後述）については非表示としている。また、おむつ１の「伸長状態」とは、おむつ１を皺なく伸長させた状態であり、おむつ１を構成する各部材（例えば後述する外装部２０等）の寸法がその部材単体の寸法と一致又はそれに近い長さになるまで伸長した状態である。「自然状態」とは、以下のように定義される。まず、製品として梱包されているおむつ１をパッケージから取り出した後、おむつ１の左右方向の端部を左右方向の両外側に引っ張り、それぞれ各部材単体の寸法と一致又はそれに近い長さになるまで伸長させる。この伸長させた状態を１５秒継続させた後、おむつ１の伸長させた状態を解除して机等の平面に置く。そして、この平面に置いた状態で５分間経過させた状態がおむつ１の自然状態である。図４〜図９において、吸収性コア１１、低坪量領域３０等は、外観からは視認不能であるが、便宜上、実線で示している。
【００２５】
おむつ１は、互いに交差する上下方向、左右方向、及び、前後方向を有するとともに、図３に示すように、各部材が積層された厚さ方向を有する。上下方向において、着用者の胴側となる側を上側とし、着用者の股下となる側を下側とする。前後方向において、着用者の腹側となる側を前側とし、着用者の背側となる側を後側とする。厚さ方向において、着用者の身体に接する側を肌側とし、その反対側を非肌側とする。また、図２の展開状態において、おむつ１は、互いに交差する長手方向及び幅方向を有している。長手方向は、上下方向に沿った方向であり、幅方向は、左右方向と同じ方向である。
【００２６】
おむつ１は、平面視長方形状である吸収性本体１０と、吸収性本体１０の非肌側に位置する外装部２０とを有している。外装部２０は、図１の前後方向における前側に位置する腹側外装部（「腹側胴回り部」ともいう。）２１と、前後方向における後側に位置する背側外装部（「背側胴回り部」ともいう。）２２と、それらを繋ぐ股下外装部２３とを有している。厚さ方向に隣接する上記部材は接着剤等で接合されている。
【００２７】
吸収性本体１０の長手方向の一端側に、腹側外装部２１が位置し、吸収性本体１０の長手方向の他端側に、背側外装部２２が位置している。吸収性本体１０の長手方向において、腹側外装部２１が位置する側を前側とし、背側外装部２２が位置する側を後側とする。つまり、腹側外装部２１は吸収性本体１０の前側上端部に位置し、背側外装部２２は吸収性本体１０の後側上端部に位置している。また、股下部材２３は腹側外装部２１及び背側外装部２２よりも肌側に位置している。
【００２８】
なお、本実施形態のおむつ１では外装部２０が３部材から構成されているが、これに限らない。例えば、腹側外装部２１、背側外装部２２、及び、股下部２３が１部材であっても良い。また、股下部２３を有さない構成や、外装部２０よりも非肌側に外装部２０とは異なる部材がさらに積層されている構成であっても良い。
【００２９】
図２に示す展開状態のおむつ１は、吸収性本体１０が長手方向の所定位置ＣＬで２つ折りされ、腹側外装部２１の左右方向の両側部と背側外装部２２の左右方向の両側部とが溶着等で接合されることにより、図１に示すパンツ型となる。つまり、吸収性本体１０の長手方向がおむつ１の上下方向に沿い、腹側外装部２１と背側外装部２２とが環状につながって、胴回り開口１ａ及び一対の脚回り開口１ｂが形成される。以下、腹側外装部２１と背側外装部２２とが接合された領域を端部接合領域２４という。
【００３０】
また、本明細書中では、所定位置ＣＬにて折り曲げられた吸収性本体１０（吸収性コア１１）のうち、前側に折り曲げられた部分を「腹側部１０Ｆ」、後側に折り曲げられた部分を「背側部１０Ｒ」とする。すなわち、図２の長手方向において、吸収性本体１０（吸収性コア１１）の所定位置ＣＬよりも前側の領域を「腹側部１０Ｆ」と呼び、所定位置ＣＬよりも後側の領域を「背側部１０Ｒ」と呼ぶ場合がある。
【００３１】
トップシート１２は、液透過性のシートであり、例えば親水性のエアスルー不織布やスパンボンド不織布等が用いられる。バックシート１３は、液不透過性シート１３ａ、及び、その非肌側に配された疎水性シート１３ｂの二層構造である。液不透過性シート１３ａとしては、例えば樹脂フィルム等が用いられ、疎水性シート１３ｂとしては、例えば柔軟性を有する疎水性の不織布等が用いられる。なお、バックシート１３は液不透過性シート１３ａの一層構造であっても良い。
【００３２】
バックシート１３の左右方向の両側にはサイドシート１４が設けられている。このサイドシート１４は、吸収性コア１１の左右方向の両端１１ｅｓ，１１ｅｓよりも左右方向の外側に延出し、吸収性本体１０の左右方向の両端１０ｅｓ，１０ｅｓを折り返し位置として左右方向の内側かつ厚さ方向の肌側に折り返されることによって、１対の防漏壁部４０形成している。防漏壁部４０には糸ゴム等の防漏壁弾性部材４１，４２が、吸収性本体１０の長手方向（上下方向）に沿って伸長された状態で固定されている。この防漏壁弾性部材４１，４２が長手方向に収縮することにより、吸収性本体１０の左右方向の両端部において一対の防漏壁部４０が肌側に立ち上がり、おむつ１の防漏壁（レッグサイドギャザー）として機能する。なお、サイドシート１４を設けず、バックシート１３（液透過性シート１３ｂ）を吸収性コア１１の左右方向の外側まで延出させることによって、防漏壁部４０が形成されるようにしても良い。
【００３３】
腹側外装部２１、及び、背側外装部２２は、それぞれ図３に示すように、肌側に位置する肌側シート２１３，２２３と、非肌側に位置する非肌側シート２１４，２２４と、それらの間に位置し、少なくともおむつ１の左右方向に伸縮性を備える伸縮性シート２１５，２２５とを有している。
【００３４】
肌側シート２１３，２２３、及び、非肌側シート２１４，２２４は、柔軟なシートであることが好ましく、例えばスパンボンド不織布やＳＭＳ不織布等が用いられる。肌側シート２１３，２２３、及び、非肌側シート２１４，２２４は、伸縮性シート２１５、２２５より伸縮性が低い非伸縮性シートである。
【００３５】
伸縮性シート２１５，２２５は、例えば、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有しており、ギア延伸等の適宜な延伸処理が施された伸縮性不織布である。この延伸処理により、伸縮性シート２１５，２２５は、所定の方向に伸縮性を有しているものとする。なお、延伸処理は、互いに直交する方向に延伸処理を行うものであっても良いし、所定方向にのみ延伸処理を行うものであっても良い。所定方向にのみ延伸処理を行った場合、所定方向における伸縮性が発現されるが、すべての繊維の配向が所定方向に沿っているとは限らないため、所定方向と直交する方向にも伸縮性が発現される。
【００３６】
肌側シート２１３，２２３、非肌側シート２１４，２２４、及び、伸縮性シート２１５，２２５は、点在する複数の溶着部２５（図９）によって接合されている。溶着部２５は、例えば、超音波溶着や熱溶着等の溶着処理が施された領域である。溶着部によって各シート同士が接合されているため、例えば固化する接着剤により接合される場合に比べて、肌触りが柔らかくなっている。また、溶着部２５同士の間において、伸縮性シート２１５，２２５が収縮することで、肌側シート２１３，２２３、及び、非肌側シート２１４，２２４が溶着部２５同士の間で膨らんで皺が形成されるため、肌触りがより柔らかくなり、視覚的にも柔らかい印象を使用者に付与できる。溶着部２５の詳細は、後述する。
【００３７】
このような構成により、腹側外装部２１、及び、背側外装部２２は、全体としておむつ１の左右方向（及び上下方向）に伸縮性を有している。図５は、展開且つ伸長状態のおむつ１の概略平面図であり、各種伸縮領域と、吸収性コア１１との位置関係を説明する図である。図５に示すように、腹側外装部２１において左右方向の伸縮性を発現している領域を前側伸縮領域２１ｓとし、背側外装部２２において左右方向の伸縮性を発現している領域を後側伸縮領域２２ｓとする（図５の網掛け部）。
【００３８】
なお、伸縮性シート２１５，２２５として伸縮性不織布の代わりに伸縮性フィルムを用いても良い。但し、伸縮性フィルムの厚みはほぼ均一であるため、溶着部２５ａ，２５ｂの間の肌側シート２１３，２２３及び非肌側シート２１４，２２４の膨らみが潰れやすい。これに対して、伸縮性不織布による伸縮性シート２１５，２２５は溶着部２５ａ，２５ｂの間において厚みが増すため、肌側シート２１３，２２３及び非肌側シート２１４，２２４の膨らみが潰れ難く、肌触りの柔らかさや美観性を保つことができる。
【００３９】
また、腹側外装部２１、及び、背側外装部２２では、胴回り開口１ａに沿う領域に、糸ゴム等の胴回り弾性部材２６が複数配されている。同様に、脚回り開口１ｂに沿う領域に、糸ゴム等の脚回り弾性部材２７が複数配されている。つまり、おむつ１の胴回り及び脚回りは、胴回り弾性部材２６及び脚回り弾性部材２７によって、着用者の身体にしっかりと密着するため、おむつ１のずれ落ちや脚回りからの漏れを防止できる。一方、その他の部位は、伸縮性シート２１５，２２５により面全体で緩やかに着用者の身体にフィットするため、締め付け感が軽減される。
【００４０】
股下部材２３は、長手方向の中央部分において左右方向の内側へ湾曲した平面視略砂時計形状を成している。また、図３に示すように、股下部材２３は、肌側に位置する肌側シート２３１と、非肌側に位置する非肌側シート２３２と、それらの間に位置し、おむつ１の上下方向（吸収性本体１０の長手方向）に伸縮性を付与する伸縮性シート２３３とを有している。これらのシート２３１〜２３３は複数の溶着部（不図示）により接合されている。股下部材２３において、上下方向に沿った伸縮性が発現している領域を股下伸縮領域２３ｓとする（図５の斜線部参照）。
【００４１】
この股下伸縮領域２３ｓが設けられることにより、吸収性コア１１は着用者の股下部に密着でき、また、排泄により吸収性コア１１の重量が増しても、おむつ１の垂れ下がりを抑制できる。また、股下部材２３のうち脚回り開口１ｂに沿う領域に、複数の股下弾性部材２８が配されており、股下部材２３が着用者の脚回りに密着するようになっている。
【００４２】
吸収性本体１０は、図３に示すように、吸収性コア１１と、吸収性コア１１の肌側に位置するトップシート１２と、吸収性コア１１の非肌側に位置するバックシート１３とを有している。
【００４３】
吸収性コア１１は、尿等の排泄液を吸収して保持する部材であり、例えば高吸収性ポリマー（ＳＡＰ）が混入したパルプ繊維等の液体吸収性繊維により形成される。本実施形態の吸収性コア１１は、長手方向の前側端と後側端との間に、左右方向における幅が狭くなったくびれ部１１ｃを有しており、図４Ａに示されるような平面視略砂時計形状を有している。また、吸収性コア１１には周囲よりも坪量が低くなった領域である低坪量領域３０が形成されている。また、吸収性コア１１は、ティッシュペーパーや不織布等の液透過性のシートによって、外周面が覆われていても良い。
【００４４】
低坪量領域３０（３１、３２）は、おむつ１を着用時に、着用者の身体の動きに合わせて吸収性コア１１（吸収性本体１０）を変形しやすくさせることができる。図６は、吸収性コア１１を肌側から見た平面図である。
【００４５】
図６に示すように、吸収性コア１１は、着用時に着用者の下腹部に位置する「下腹部位１１Ａ」と、着用者の股下部に位置する「股下部位１１Ｂ」と、着用者の臀部に位置する「臀部位１１Ｃ」とを有する。図６では、腹側外装部２１と重複する部位を下腹部位１１Ａとし、背側外装部２２と重複する部位を臀部位１１Ｃとし、その間を股下部位１１Ｂとしている。すなわち、下腹部位１１Ａはおむつ１の腹側部１０Ｆに位置する部位であり、臀部位１１Ｃはおむつ１の背側部１０Ｒに位置する部位である。そして、股下部位１１Ｂは、パンツ型形状のおむつ１の上下方向の下端部に位置し、所定位置ＣＬを跨いで腹側部１０Ｆと背側部１０Ｒとに亘って設けられる部位である。
【００４６】
低坪量領域３１は、下腹部位１１Ａ、股下部位１１Ｂ、臀部位１１Ｃの各部位に、それぞれ左右方向に間隔を空けて複数設けられている。また、低坪量領域３１は、上下方向に沿った、上下方向に所定の長さ（第１の長さ）ｄｈを有する上下低坪量領域３１ｈと、左右方向に沿った、左右方向に所定の長さ（第２の長さ）ｄｓを有する左右低坪量領域３１ｓを有する。なお、上下低坪量領域３１ｈの長さｄｈと左右低坪量領域３１ｓの長さｄｓは、任意に設定することができ、それぞれ同じ長さである必要はなく、異なる長さであってもよい。また、１つの低坪量領域３１が必ずしも上下低坪量領域３１ｈと左右低坪量領域３１ｓの両方を備える必要はなく、いずれか一方を備えたものであってもよい。さらに、下腹部位１１Ａに設けられたような傾斜した形状の低坪量領域３１を備えていてもよい。
【００４７】
吸収性コア１１の「坪量」とは、単位面積あたりの吸収性コア１１（例えばＳＡＰが混入した液体吸収性繊維）の質量（ｇ／ｍ２）である。低坪量領域３０と周囲との吸収性コア１１の坪量の比較は、周知の方法で行うと良い。例えば、目視で比較する方法がある。その他、対象部位を吸収性コア１１からサンプルとして切り出し、各サンプルの質量、及び、各サンプルの面積を測定し、単位面積あたりの質量を算出して比較する方法がある。
【００４８】
吸収性コア１１は、低坪量領域３０とその周囲との剛性差により、低坪量領域３０を起点に折れ曲がりやすい。したがって、おむつ１の着用時において、低坪量領域３１を起点として吸収性コア１１が折れ曲がることによって着用者の身体の凹凸に合わせて容易に変形し、着用者の身体にフィットしやすくなる。つまり、上下低坪量領域３１ｈに沿って上下に折れ曲がりやすくなり、左右低坪量領域３１ｓに沿って上下に折れ曲がりやすくなる。
【００４９】
また、図６に示すように、吸収性コア１１は、おむつ１の上下方向の下端（図１参照）よりも上側、かつ、前後方向の前側（腹側部１０Ｆ）に、周囲に比べて吸収性コア１１の坪量が低くなった領域である中央低坪量領域３２を有している。中央低坪量領域３２は、吸収性コア１１の左右方向の中央部において、上下方向（長手方向）に沿って配置され、周囲に比べて吸収性コア１１の坪量が低く、おむつ１の左右方向よりも上下方向に長い略長方形状の領域である。同様に、おむつ１の上下方向の下端よりも上側、かつ、前後方向の後側（背側部１０Ｒ）にも、中央低坪量領域３２が設けられている。本実施形態では、中央低坪量領域３２には吸収性コア１１が存在しないものとする。すなわち、中央低坪量領域３２は吸収性コア１１が厚さ方向に貫通した孔である。
【００５０】
おむつ１着用時における吸収性コア１１の変形について具体的に説明する。図７は、おむつ１着用時における吸収性コア１１の変形について説明する概略斜視図である。
【００５１】
おむつ１において、中央低坪量領域３２は、吸収性コア１１が厚さ方向に貫通し、剛性が最も低いため、吸収性コア１１は、中央低坪量領域３２において最も折れ曲がり変形を生じやすい。そのため、おむつ１の着用時に、吸収性コア１１が着用者の股間部で両脚に挟み込まれると、吸収性コア１１が中央低坪量領域３２の部分で上下方向（吸収性コア１１の長手方向）に沿って左右に折れ曲がる。これにより、長手方向における中央低坪量領域３２の間の股下部位１１Ｂにおいて、図７のように、吸収性コア１１が長手方向に沿って着用者の肌側に凸形状に変形し、凸部１１ｔが形成される。吸収性コア１１が股下部位１１Ｂにおいて肌側に凸変形することにより、凸部１１ｔが着用者の排泄口や臀部の割れ目に沿ってフィットしやすく、股下部において排泄物の吸収性を向上させることができる。そして、腹側部１０Ｆでは、股下部位１１Ｂから下腹部位１１Ａにかけて、吸収性コア１１が着用者の腹部の曲面形状に沿って立ち上がる。一方、背側部１０Ｒでは、股下部位１１Ｂから臀部位１１Ｃにかけて、吸収性コア１１が着用者の臀部の曲面形状に沿って立ち上がる。これにより、おむつ１の着用時において、吸収性コア１１は図７のような形状に変形する。
【００５２】
＜＜おむつ１の伸縮率について＞＞
おむつ１の腹側における追従性の大きさは、腹側第１領域Ｆ１、腹側第２領域Ｆ２、腹側第３領域Ｆ３、腹側第４領域Ｆ４とでそれぞれ異なる。また、おむつ１の背側における追従性の大きさは、背側第１領域Ｒ１、背側第２領域Ｒ２、背側第３領域Ｒ３、背側第４領域Ｒ４とでそれぞれ異なる。図８は、展開且つ伸長状態のおむつ１の追従性の大きさが異なる領域を説明する図である。図９は、展開且つ伸長状態のおむつ１の各溶着領域を説明する図である。図８及び図９において、便宜上、各領域の境界を実線で示している。
【００５３】
おむつ１において、各領域の追従性の大きさは、外装部２０の弾性係数や吸収性コア１１の有無に起因する。外装部２０の弾性係数とは、外装部２０の単位面積領域を所定長さだけ伸長させるための力をいう。おむつ１の腹側と背側には、それぞれ略全域に亘って伸縮性シート２１５、２２５が配置されている。
【００５４】
従来のパンツ型使い捨ておむつにおいて、吸収性コアは剛性が高いため、外装部と吸収性コアが厚さ方向（前後方向）に重なっている部分と、外装部と吸収性コアが厚さ方向に重なっていない部分とで剛性に差が生じてしまう。そして、吸収性コアと重なっている部分の外装部の弾性係数が、吸収性コアと重なっていない部分の弾性係数より小さい場合は、着用時における追従性が、吸収性コアの上端を境として、外装部と吸収性コアが重なっている部分と、外装部と吸収性コアが重なっていない部分とで大きく差が生じてしまい、身体の形状や身体の動きに対して追従する度合いが異なってしまい、着用者に違和感を与えてしまう恐れがあった。
【００５５】
この点、おむつ１の腹側について、図８における腹側第１領域Ｆ１と腹側第３領域Ｆ３との追従性の差を緩衝させるための緩衝領域として腹側第２領域Ｆ２を設けている。腹側第２領域Ｆ２は、腹側第１領域Ｆ１より追従性が小さく、腹側第３領域Ｆ３より追従性が大きい領域である。同様に、おむつ１の背側について、背側第１領域Ｒ１と背側第３領域Ｒ３との追従性の差を緩衝させるための緩衝領域として背側第２領域Ｒ２を設けている。背側第２領域Ｒ２は、背側第１領域Ｒ１より追従性が小さく、背側第３領域Ｒ３より追従性が大きい領域である。各領域について、以下説明する。
【００５６】
おむつ１の腹側及び背側における、それぞれ単位面積あたりの溶着部２５の面積の割合が、外装部２０の左右方向に伸縮する弾性係数の大きさに寄与している。具体的には、単位面積あたりの溶着部２５の面積の割合が大きいほど、伸縮性シート２１５、２２５の伸縮性が低下し、伸縮性シート２１５を備えた腹側外装部２１、伸縮性シート２２５を備えた背側外装部２２の各弾性係数が小さくなる。図９に示すように、おむつ１の腹側には、溶着領域（低面積率領域）Ｘ、溶着領域（高面積率領域）Ｙ、溶着領域Ｐが設けられ、おむつ１の背側には、溶着領域（低面積率領域）Ｘ、溶着領域（高面積率領域）Ｙ、溶着領域Ｐ、溶着領域Ｑが設けられている。なお、以下の説明において、単位面積あたりの溶着部２５の面積の割合は、伸長状態のおむつ１について検討するものとする。
【００５７】
溶着領域Ｘ（図９の右下がりの斜線部）には、単位面積あたりの溶着部２５の面積の割合が所定の割合（例えば、２．２２％）で溶着部２５ａが設けられている。溶着部２５ａは、円形状の溶着部２５であり、千鳥状に複数配置されている。溶着領域Ｙ（図９の網掛け部）には、単位面積あたりの溶着部２５の面積の割合が、溶着領域Ｘより高い割合（例えば、４．４４％）で溶着部２５ｂが設けられている。つまり、溶着領域Ｙの外装部２０の弾性係数は、溶着領域Ｘの弾性係数より小さい。溶着部２５ｂは、左右方向に対して４５度又は−４５度傾いた略長方形状の溶着部２５が千鳥状に複数配置されている。溶着領域Ｐ（図９の砂地状部）及び溶着領域Ｑ（図９の左下がりの斜線部）は、それぞれ溶着部２５ｃ、溶着部２５ｄが設けられている。溶着部２５ｃは円形状、溶着部２５ｄは長方形状の溶着部２５であり、それぞれ単位面積あたりの溶着部２５の面積の割合が、１，４２％、７．７７％である。溶着領域Ｐ及び溶着領域Ｑの単位面積あたりの溶着部２５の面積の割合は、それぞれ各部位における外装部２０の弾性係数や素材に応じて適宜変更可能である。
【００５８】
溶着領域Ｐは、脚回り弾性部材２７が配置された領域である。溶着領域Ｑは、おむつ１の背側のうち、背側外装部材２２と吸収性本体１０とが厚さ方向に重なる領域のうち下端部の領域である。おむつ１の腹側の溶着領域Ｙは、腹側外装部２１と吸収性本体１０とが厚さ方向に重なる領域のうち、上端部を除いた領域である。おむつ１の背側の溶着領域Ｙは、背側外装部２２と吸収性本体とが厚さ方向に重なる領域のうち、上端部の領域及び溶着領域Ｑを除いた領域である。溶着領域Ｘは、溶着領域Ｙ、溶着領域Ｐ、溶着領域Ｑ、及び胴回り弾性部材２６が配置された領域を除く外装部材２０の略全域である。なお、おむつ１は、胴回り弾性部材２６が配置された領域には、溶着部２５は配置していないが、当該領域に溶着部２５を設けてもよい。胴回り弾性部材２６が配置された領域に溶着部２５を設ける場合には、溶着部２５が胴回り弾性部材２６を切断しないように配置することがより好ましい。
【００５９】
おむつ１の腹側部において、腹側第１領域Ｆ１は、溶着領域Ｘと吸収性コア１１とが重ならない領域（図８の右下がりの斜線部）であり、腹側第２領域Ｆ２は、溶着領域Ｘと吸収性コア１１とが重なる領域（図８の左下がりの斜線部）であり、腹側第３領域Ｆ３は、溶着領域Ｙと吸収性コア１１とが重なる領域（図８の細かい網掛け部）であり、腹側第４領域Ｆ４は、溶着領域Ｙと吸収性コア１１とが重ならない領域（図８の粗い網掛け部）である。
【００６０】
腹側第１領域Ｆ１、腹側第２領域Ｆ２、腹側第３領域Ｆ３の各領域の左右方向への追従性を比較する。腹側第１領域Ｆ１は、吸収性コア１１と厚さ方向に重なっておらず、溶着領域Ｘの外装部２０の弾性係数が大きいことから、着用時において追従性が高い。一方、腹側第２領域Ｆ２及び腹側第３領域Ｆ３は、吸収性コア１１と厚さ方向に重なっていることから、腹側第１領域Ｆ１より着用時において追従性が低い。
【００６１】
仮に、溶着領域Ｘと溶着領域Ｙにおける単位面積あたりの溶着部の面積の割合を同じにすると、腹側第２領域Ｆ２及び腹側第３領域Ｆ３にそれぞれ対応する腹側外装部２１の弾性係数が同じとなるため、腹側第２領域Ｆ２及び腹側第３領域Ｆ３の着用時における追従性は、おおよそ同じぐらいの大きさとなる。そうすると、腹側第２領域Ｆ２及び腹側第３領域Ｆ３は、腹側第１領域Ｆ１との着用時における追従性の差が大きくなってしまう。
【００６２】
そこで、腹側第２領域Ｆ２の単位面積あたりの溶着部２５の面積の割合を腹側第１領域Ｆ１の単位面積あたりの溶着部２５の面積の割合と同じとし、腹側第３領域Ｆ３の単位面積あたりの溶着部２５の面積の割合を腹側第１領Ｆ１の単位面積あたりの溶着部２５の面積の割合より大きくしている。これによって、腹側外装部２１の腹側第２領域Ｆ２における外装部２０の弾性係数が腹側第３領域Ｆ３における外装部２０の弾性係数より大きくなる。弾性係数がより大きい腹側外装部２１を備える腹側第２領域Ｆ２の着用時における追従性が、腹側第３領域Ｆ３の着用時における追従性より大きくなる。そして、上下方向において、腹側第２領域Ｆ２を腹側第１領域Ｆ１と腹側第２領域Ｆ２との間に配置することで、着用時における追従性を腹側第１領域Ｆ１から腹側第３領域Ｆ３に向かって段階的に小さくすることができる。つまり、おむつ１の腹側において、腹側第２領域Ｆ２が腹側第１領域Ｆ１と腹側第３領域Ｆ３との間の緩衝領域となり、腹側第１領域Ｆ１と腹側第３領域Ｆ３との着用時における追従性の差を段階的に小さくして、着用者が感じる密着性等の違和感を軽減させやすくすることができる。
【００６３】
同様に、おむつ１の背側について、背側第１領域Ｒ１は、溶着領域Ｘと吸収性コア１１とが重ならない領域（図８の右下がりの斜線部）であり、背側第２領域Ｒ２は、溶着領域Ｘと吸収性コア１１とが重なる領域（図８の左下がりの斜線部）であり、背側第３領域Ｒ３は、溶着領域Ｙと吸収性コア１１とが重なる領域（図８の細かい網掛け部）であり、背側第４領域Ｒ４は、溶着領域Ｙと吸収性コア１１とが重ならない領域（図８の粗い網掛け部）である。
【００６４】
おむつ１の背側部については、背側第２領域Ｒ２の単位面積あたりの溶着部２５の面積の割合を背側第１領域Ｒ１と同じとし、背側第３領域Ｒ３の単位面積あたりの溶着部２５の面積の割合を背側第１領域Ｒ１より大きくしている。これによって、背側外装部２２の背側第２領域Ｒ２における弾性係数が背側第３領域Ｒ３における弾性係数より大きくなるため、弾性係数がより大きい背側外装部２２を備える背側第２領域Ｒ２の着用時における追従性が、背側第３領域Ｒ３の着用時における追従性より大きくなる。そして、上下方向において、背側第２領域Ｒ２を背側第１領域Ｒ１と背側第２領域Ｒ２との間に配置することで、着用時における追従性を背側第１領域Ｒ１から背側第３領域Ｒ３に向かって段階的に小さくすることができる。つまり、おむつ１の背側において、背側第２領域Ｒ２が背側第１領域Ｒ１と背側第３領域Ｒ３との間の緩衝領域となり、着用時における追従性の差を背側第２領域Ｒ２が緩衝させやすくなる。そして、背側第１領域Ｒ１と背側第３領域Ｒ３との着用時における追従性の差によって着用者に違和感を与えてしまう恐れを軽減させやすくなる。
【００６５】
図８等に示す伸長状態のおむつ１の左右方向の中心線Ｃ−Ｃにおいて、腹側第２領域Ｆ２の上下方向の長さｄｆ２より、背側第２領域Ｒ２の上下方向の長さｄｒ２が長いことが好ましい（ｄｆ２＜ｄｒ２）。おむつ１の背側は、着用者の臀部及び腰部に当接する部分であるため、身体の形状に応じた形状に変形する必要がある。しかし、背側第１領域Ｒ１と背側第３領域Ｒ３との着用時における追従性の差が大きくなると、着用者に違和感を与えやすくなってしまう恐れがある。これに対して、背側第２領域Ｆ２の上下方向の長さｄｒ２をより長くすることで、腹側第２領域Ｆ２の上下方向の長さｄｆ２以下とする場合より、着用時における追従性を背側第１領域Ｒ１から背側第３領域Ｒ３に向かって段階的に小さくさせやすくなり、背側第２領域Ｆ２が背側第１領域Ｒ１と背側第３領域Ｒ３の着用時における追従性の差をより緩衝させやすくなる。なお、おむつ１は、左右方向の中心線において、腹側第３領域Ｆ３の上下方向の長さｄｆ３より、背側第３領域Ｒ３の上下方向の長さｄｒ３が長い。
【００６６】
また、吸収性コア１１が、腹側第２領域Ｆ２に低坪量領域３０を有することが好ましい。同様に、背側第２領域Ｒ２に低坪量領域３０を有することが好ましい。上述のとおり、低坪量領域３０を設けることで、吸収性コア１１の折れ起点となり、吸収性コア１１を変形させやすくなる。つまり、低坪量領域３０を着用者の身体に合わせた形状とするために設けたが、低坪量領域３０は吸収性コア１１のフィット性を向上させるためにも有効である。図８等に示すように、腹側第２領域Ｆ２に低坪量領域３１が左右方向に間隔を空けて複数設けられている。つまり、低坪量領域３１は、周囲よりも坪量が低くなった領域であるため、周囲よりも剛性が低くなっている。そのため、腹側第２領域Ｆ２（背側第２領域Ｒ２）に低坪量領域３１を設けることで、腹側第２領域Ｆ２（背側第２領域Ｒ２）の着用時における追従性を大きくして、腹側第３領域Ｆ３（背側第３領域Ｒ３）の着用時における追従性との差を大きくしやすくし、腹側第１領域Ｆ１の着用時における追従性との差を小さくさせやすくして、着用時における追従性を腹側第１領域Ｆ１（背側第１領域Ｒ１）から腹側第３領域Ｆ３（背側第３領域Ｒ３）に向かってより緩やかに小さくさせやすくなる。
【００６７】
さらに、吸収性コア１１が腹側第３領域Ｆ３に低坪量領域３０を有することが好ましい。図８等に示すように、低坪量領域３１は、腹側第３領域Ｆ３に左右方向に間隔を空けて複数設けられている。吸収性コア１１が、腹側第２領域Ｆ２だけでなく、腹側第３領域Ｆ３にも低坪量領域３１を有することで、腹側外装部２１と重なる吸収性コア１１自体の剛性をより低くすることができる。これによって、腹側第１領域Ｆ１と腹側第３領域Ｆ３との着用時における追従性の差をより小さくすることができるため、着用者に与える違和感を軽減させやすくなる。同様に、吸収性コア１１が、背側第３領域Ｒ３に低坪量領域３１を有することが好ましい。
【００６８】
この腹側第３領域Ｆ３又は背側第３領域Ｒ３に設けられた低坪量領域３１の左右方向における低坪量領域３０の数が、上端部の方が下端部より多いことがより好ましい。具体的には、図８等に示すおむつ１では、腹側第３領域Ｆ３の上端部に設けられた低坪量領域３１の数が６、下端部に設けられた低坪量領域３１の数が２と低坪量領域３２が１の合計３である。背側第３領域Ｒ３の上端部に設けられた低坪量領域３１の数が６、下端部に設けられた低坪量領域３０の数が５である。これによって、腹側第３領域Ｆ３のうち、腹側第２領域Ｆ２により近い上端部の追従性を、腹側第３領域Ｆ３により近い下端部の追従性より大きくすることができる。つまり、着用時における追従性を腹側第３領域Ｆ３内の上端部から下端部にかけて段階的に小さくすることができるため、腹側第２領域Ｆ２と腹側第３領域Ｆ３との着用時における追従性の差を小さくすることができ、腹側第１領域Ｆ１から腹側第３領域Ｆ３に向かって着用時における追従性を段階的に小さくしやすくなる。これによって、腹側第１領域Ｆ１と腹側第３領域Ｆ３との着用時における追従性の差によって着用者が感じる違和感を軽減させることができる。背側第３領域Ｒ３における低坪量領域３０の数についても、腹側第３領域Ｆ３における低坪量領域３０の数と同様に、上端部の方が下端部より多いことがより好ましい。
【００６９】
腹側第４領域Ｆ４については、溶着領域Ｙと吸収性コア１１とが重ならない領域であることから、腹側第４領域Ｆ４の左右方向の収縮力は、溶着領域Ｙと吸収コア１１とが重なる領域である腹側第３領域Ｆ３の左右方向の収縮力より大きい。また、腹側第４領域Ｆ４は、溶着領域Ｙであり、且つ、吸収性本体１０と重なっているため、腹側第４領域Ｆ４の着用時における追従性は、腹側第１領域Ｆ１の着用時における追従性より小さい。おむつ１の腹側において、腹側第３領域Ｆ３と左右方向に重なる領域について、腹側第４領域Ｆ４は、腹側第３領域Ｆ３の左右方向の外側から腹側第３領域Ｆ３に隣接し、腹側第１領域Ｆ１は、腹側第４領域Ｆ４の左右方向の外側から腹側第４領域Ｆ４に隣接する。このことから、腹側第３領域Ｆ３と左右方向に重なる領域について、腹側第１領域Ｆ１より小さい収縮力を有し、左右方向において腹側第１領域Ｆ１から腹側第３領域Ｆ３に向かって段階的に小さくさせて、腹側第３領域Ｆ３より大きい着用時における追従性を有する腹側第４領域Ｆ４が緩衝させやすくなるため、腹側第１領域Ｆ１と腹側第３領域Ｆ３との間の着用時における追従性の差による着用者に与える違和感を軽減させることができる。
【００７０】
同様に、背側第４領域Ｒ４については、溶着領域Ｙと吸収性コア１１とが重ならない領域であることから、背側第４領域Ｒ４の着用時における追従性は、溶着領域Ｙと吸収コア１１とが重なる領域である背側第３領域Ｒ３の着用時における追従性より大きい。また、背側第４領域Ｒ４は、溶着領域Ｙであり、且つ、吸収性本体１０と重なっているため、背側第４領域Ｒ４の左右方向への収縮力は、背側第１領域Ｒ１の着用時における追従性より小さい。背側部１０Ｒにおいて、背側第３領域Ｒ３と左右方向に重なる領域について、背側第４領域Ｒ４は、背側第３領域Ｒ３の左右方向の外側から背側第３領域Ｒ３に隣接し、背側第１領域Ｒ１は、背側第４領域Ｒ４の左右方向の外側から背側第４領域Ｒ４に隣接する。このことから、背側第３領域Ｒ３と左右方向に重なる領域について、背側第１領域Ｒ１より小さい追従性を有し、左右方向において背側第１領域Ｒ１から背側第３領域Ｒ３に向かって段階的に小さくさせて、背側第３領域Ｒ３より大きい追従性を有する背側第４領域Ｒ４が緩衝させやすくなるため、背側第１領域Ｒ１と背側第３領域Ｒ３との間の着用時における追従性の差による着用者に与える違和感を軽減させることができる。
【００７１】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７２】
上述の実施形態においては、腹側部１０Ｆと背側部１０Ｒにそれぞれ第１領域（Ｆ１、Ｒ１）、第２領域（Ｆ２、Ｒ２）、第３領域（Ｆ３、Ｒ３）を設けたが、これに限られない。腹側部１０Ｆ、背側部１０Ｒのいずれか一方に各領域を設けるものであってもよい。外装部２０（２１、２２）及び吸収性コア１１に対して作用する伸縮性シート２１５、２２５の弾性係数の大きさによって作用する応力に応じて適宜決定してもよい。
【００７３】
また、上述の実施形態においては、溶着部２５を円形状（２５ａ、２５ｄ）又は長方形状（２５ｂ、２５ｃ）としたが、これに限られない。各溶着部２５の形状は、楕円形や多角形等の任意の形状とすることができる。また、同じ領域内においても異なる形状の溶着部２５を設けていてもよい。
【符号の説明】
【００７４】
１  パンツ型使い捨ておむつ（おむつ、パンツ型吸収性物品）、１ａ  胴回り開口、１ｂ  脚回り開口、１０  吸収性本体、１０Ｆ  腹側部、１０Ｒ  背側部、１１  吸収性コア、１１Ａ  下腹部位、１１Ｂ  股下部位、１１Ｃ  臀部位、１１ｃ  くびれ部、１１ｔ  凸部、１２  トップシート、１３  バックシート、１４  サイドシート、２０  外装部、２１  腹側外装部（胴回り部、腹側胴回り部）、２１ｓ  前側伸縮領域、２１３  肌側シート（非伸縮性シート）、２１４  非肌側シート（非伸縮性シート）、２１５  伸縮性シート、２２  背側外装部（胴回り部、背側胴回り部）、２２ｓ  後側伸縮領域、２２３  肌側シート（非伸縮性シート）、２２４  非肌側シート（非伸縮性シート）、２２５  伸縮性シート、２３  股下外装部、２３ｓ  股下伸縮領域、２３１  肌側シート、２３２  非肌側シート、２３３  伸縮性シート、２４  端部接合領域、２５  溶着部、２５ａ、２５ｂ、２５ｃ、２５ｄ  溶着部、２６  胴回り弾性部材、２７  脚回り弾性部材、２８  股下弾性部材、３０  低坪量領域、３１  低坪量領域、３１ｈ  上下低坪量領域、３１ｓ  左右低坪量領域、３２  中央低坪量領域、４０  防漏壁部、４１  防漏壁弾性部材、４２  防漏壁弾性部材、ＣＬ  所定位置、Ｆ１  腹側第１領域、Ｆ２  腹側第２領域、Ｆ３  腹側第３領域、Ｒ１  背側第１領域、Ｒ２  背側第２領域、Ｒ３  背側第３領域、Ｐ  溶着領域、Ｑ  溶着領域、Ｘ  溶着領域（低面積率領域）、Ｙ  溶着領域（高面積率領域）
【図１】
2020192123.tif 000003
【図２】
2020192123.tif 000004
【図３】
2020192123.tif 000005
【図４】
2020192123.tif 000006
【図５】
2020192123.tif 000007
【図６】
2020192123.tif 000008
【図７】
2020192123.tif 000009
【図８】
2020192123.tif 000010
【図９】
2020192123.tif 000011